(57)【要約】【課題】利用者に対して明瞭に音声案内できるようにする。【解決手段】乗車券に記録されているデータを基に所定の入出場の演算処理を行い、その演算処理の結果について、又は無札者を検知したときに、スピーカを介して所定の内容の音声案内を行う自動改札機において、前記スピーカは、高指向性のスピーカを用いる。【選択図】      図１
2004213528.tif 000002
【特許請求の範囲】
【請求項１】
乗車券に記録されているデータを基に所定の入出場の演算処理を行い、その演算処理の結果について、又は無札者を検知したときに、スピーカを介して所定の内容の音声案内を行う自動改札機において、
前記スピーカは、高指向性のスピーカからなることを特徴とする自動改札機。
【請求項２】
請求項１に記載の自動改札機において、指向性スピーカ軸は、自動改札機の本体のドアの近くに位置する利用者の顔面に向けられていることを特徴とする自動改札機。
【請求項３】
乗車券に記録されているデータを基に所定の入出場の演算処理を行い、その演算処理の結果について、又は無札者を検知したときに、スピーカを介して所定の内容の音声案内を行う自動改札機において、
前記スピーカを前記自動改札機の本体の改札通路の通過方向に沿って所定の間隔を保って設けられた複数のスピーカ群とし、その改札通路内の利用者のうち所定の内容を案内すべき利用者に対応したそのスピーカ群のなかの所定のスピーカ以外の出力の位相をその所定のスピーカの出力の位相と逆に制御する制御手段を設けたことを特徴とする自動改札機。
【請求項４】
請求項３に記載の自動改札機において、スピーカは、高指向性のスピーカからなることを特徴とする自動改札機。
【発明の詳細な説明】
【０００１】
【発明の属する技術分野】
本発明は自動改札機に係り、特に、改札通路内の利用者に所定の内容をスピーカを介して明瞭に案内できるようにしたものに関する。
【０００２】
【従来の技術】
従来、この種の自動改札機には、その自動改札機の本体の改札通路内の利用者（旅客）に対して、所定の内容、例えば乗越による精算案内の必要性等をスピーカを介して案内できるように構成されている（特許文献１参照。）。
【０００３】
【特許文献１】特開２００１−３５７４２４号公報
【０００４】
【発明が解決しようとする課題】
しかしながら、上記従来の自動改札機において、スピーカは、自動改札機の本体に１個、例えば、その自動改札機の本体の改札通路側の中央部分に位置する箇所に設けられているので、利用者に対する案内性に欠ける欠点があった。特に、自動改札機の本体の設置される改札口は、騒然としていてスピーカからの音声が聞き取りにくい環境にあるとともに、改札通路内に複数の利用者が存在するときは、どの利用者に対する案内であるのか区別が付かないという欠点があった。
【０００５】
そこで、本発明は、環境騒音が大きくとも、また、改札通路内に複数の利用者が存在していても所定の内容の案内を明瞭に伝えることのできる自動改札機を提供することを目的としている。
【０００６】
【課題を解決するための手段】
本発明に係る自動改札機は、上記目的を達成するために、請求項１に記載の発明は、乗車券に記録されているデータを基に所定の入出場の演算処理を行い、その演算処理の結果について、又は無札者を検知したときに、スピーカを介して所定の内容の音声案内を行う自動改札機において、前記スピーカは、高指向性のスピーカからなることを特徴としている。
本発明の請求項２に記載の自動改札機は、指向性スピーカ軸は、自動改札機の本体のドアの近くに位置する利用者の顔面に向けられていることを特徴としている。
本発明の請求項３に記載の自動改札機は、乗車券に記録されているデータを基に所定の入出場の演算処理を行い、その演算処理の結果について、又は無札者を検知したときに、スピーカを介して所定の内容の音声案内を行う自動改札機において、前記スピーカを前記自動改札機の本体の改札通路の通過方向に沿って所定の間隔を保って設けられた複数のスピーカ群とし、その改札通路内の利用者のうち所定の内容を案内すべき利用者に対応したそのスピーカ群のなかの所定のスピーカ以外の出力の位相をその所定のスピーカの出力の位相と逆に制御する制御手段を設けたことを特徴としている。
本発明の請求項４に記載の自動改札機は、スピーカは、高指向性のスピーカからなることを特徴としている。
【０００７】
【発明の実施の形態】
以下、本発明の実施の形態を図面に基づいて説明する。図１（ａ）は、一実施の形態に係る自動改札機の斜視図であって、その自動改札機の本体（以下、「改札機本体」という。）Ｇを構成する一対の筐体のうちの一方の筐体Ｇ１  の斜視図である。なお、図示しない他方の筐体は、改札通路Ｐを挾んでこの一方の筐体Ｇ１  と向き合う形で設けられている。
【０００８】
図１（ａ）中、１は、筐体Ｇ１  の改札通路Ｐの通過方向の進入（入口）側に設けられた乗車券の投入口、２は、その筐体Ｇ１  の上面で改札通路Ｐの進出（出口）側の取付カバーＧ２  に設けられた取出口であり、３は、その取出口２の近傍で改札通路Ｐの進出側の取付カバーＧ２  に設けられた利用者に対して文字により所定の内容を案内するための表示画面である。また、図１（ａ）中、４は、取出口２及び表示画面３の中間の取付カバーＧ２  に設けられた利用者に対して音声により所定の内容を案内するためのスピーカである。
【０００９】
このスピーカ４は、周知の高指向性のスピーカからなり、このスピーカ４のスピーカ軸（スピーカの指向性の中心となる軸）４ａ（図１（ｂ）参照）は、後述するドアＤ１  の手前の改札通路Ｐに位置する平均的な身長の利用者の顔面の位置（顔面の耳の位置）に向けられている。なお、この位置は、ドアＤ１  が閉じられて入出場が拒否された利用者が位置する場所であり、その入出場が拒否された利用者は、最も案内を必要としている利用者だからである。
【００１０】
上記投入口１及び取出口２間の筐体Ｇ１  内には、図示しないカードハンドラが設けられている。このカードハンドラは、投入口１から投入された乗車券を取出口２又は筐体Ｇ１  内に設けられた図示しない集札箱まで搬送させることができるように構成されている。そして、その搬送の途中において、投入口１に投入された磁気券からなる乗車券に記録されているデータを読取り、新たなデータを書込み、必要に応じてパンチや印字を行い、利用者へ返却する必要のある乗車券を取出口２に排出し、筐体Ｇ１  内に回収する必要のある乗車券を集札箱へ集札できるように構成されている。
【００１１】
図１（ａ）中、ａはアンテナであって、筐体Ｇ１  の投入口１側の上面に設けられていて、図示しない無線通信機能を備えたＩＣカードからなる非接触券（本発明では、この非接触券も乗車券の中に含めている。）と交信できるように構成されている。
【００１２】
図１中、Ｂはセンサ取付ボックスであって、筐体Ｇ１  の上面で、かつ、改札通路Ｐと反対側に設けられ、その改札通路Ｐに沿って設けられている。このセンサ取付ボックスＢ内には、反射型センサからなる人間検知器Ｓ１  〜Ｓ３  が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ１  〜Ｓ３  は、改札通路Ｐの床面から所定の高さに向けて光線を照射する発光素子と、その照射された光線が物体（利用者）に当たって反射してきた光線（反射光）を受光する受光素子とにより構成されている。
【００１３】
図１中、Ｓ１０〜Ｓ１５は、光電素子からなる透過型センサからなる人間検知器であって、一対の筐体間の改札通路Ｐ側に所定の間隔を保って設けられていて、改札通路Ｐ内の利用者位置を検知することができるように構成されている。これら人間検知器Ｓ１０〜Ｓ１５のうち、人間検知器Ｓ１０は改札通路Ｐの入口側に、人間検知器Ｓ１５は改札通路Ｐの出口側に、人間検知器Ｓ１２及びＳ１３は改札通路Ｐの中央部に、人間検知器Ｓ１１は改札通路Ｐの入口側と中央部との中間に、そして人間検知器Ｓ１４は改札通路Ｐの出口側と中央部との中間に設けられている。これら透過型センサからなる人間検知器Ｓ１０〜Ｓ１５は、一方の筐体の側面に発光素子を有するとともに、他方の筐体の側面に受光素子を有して構成されている。そして、これら透過型センサからなる人間検知器Ｓ１０〜Ｓ１５で検知され、かつ、上述の反射型センサからなる人間検知器Ｓ１  〜Ｓ３  で検知されないときは、その利用者は子供（小児）の利用者と判定される。また、改札通路Ｐの中央部に設けられた一対の人間検知器Ｓ１２，Ｓ１３は、利用者が改札通路Ｐの中央部に達したことを検知するとともに、検出順序により改札通路Ｐ内の利用者の移動方向を判定するために用いられている。
【００１４】
図１中、Ｄ１  ，Ｄ２  は、改札通路Ｐを開閉するドアであり、これらドアＤ１  ，Ｄ２  のうち、ドアＤ１  は改札通路Ｐの出口側に設けられ、ドアＤ２  はその入口側に設けられている。そして、これらドアＤ１  ，Ｄ２  は、改札機本体Ｇを統括的に制御する後述する制御器Ｃにより駆動されるように構成されている。なお、図示しない他方の筐体にも、筐体Ｇ１  のドアＤ１  ，Ｄ２  に対応した位置にドアが設けられている。また、ドアＤ２  は、改札機本体Ｇが稼動を停止したときに閉じられるドアであり、さらに、改札機本体Ｇがノーマルオープン型のときや双方向型のときは、このドアＤ２  は、図１の矢印方向と反対方向から進入してくる利用者に対して改札通路Ｐの出口側のドアとなる。本実施の形態では、改札機本体Ｇを図１の矢印で示される方向の利用者を処理する専用型として説明する。
【００１５】
制御器Ｃは、図３に示されるように、メモリ１０に格納されているシステムプログラム及びワーキングデータを用いて所定の入出場の演算処理を行う中央処理部（ＣＰＵ）１１を有している。制御器ＣのＣＰＵ１１は、図示しないＩ／Ｏユニットを介して磁気券からなる乗車券を処理するカードハンドラ１２と、ドアＤ１  ，Ｄ２  を駆動制御するドアドライバ１３と、人間検知装置（Ｓ１  〜Ｓ３  ，Ｓ１０〜Ｓ１５）からの信号を処理する人間検知器ユニット１４と、アンテナａを介して非接触券に記録されているデータを読取るととも、新たなデータを書込むためのリーダライタ１５と、スピーカ４を駆動制御する音声ユニット１６とが接続されている。なお、ＣＰＵ１１には、表示画面３を駆動制御する表示ドライバ等の機器も接続されているが、ここでは省略されている。
【００１６】
上記構成の自動改札機において、投入口１に有効な磁気券からなる乗車券が投入され、又はアンテナａに有効な非接触券が軽くタッチ、あるいはかざされたときは（以下、タッチで説明する。）、ＣＰＵ１１による入出場の演算処理で入出場が許可されてドアＤ１  が開とされる（改札機本体Ｇがノーマルオープン型のときはそのまま）。そして、投入された乗車券を利用者に返却しなければならないときは、その投入された乗車券は取出口２に排出されて返却される。もし、この返却された乗車券が取出口２から抜き取られないときは、表示画面３及びスピーカ４から乗車券の取出しが案内される。この場合、利用者は、通常、ドアＤ１  近くに位置しているので、高指向性のスピーカ４から効果的に案内される。
【００１７】
また、投入口１に投入された乗車券が無効券の場合、あるいはアンテナａにタッチされた非接触券が無効券の場合は、ＣＰＵ１１の入出場の演算処理によりドアＤ１  が閉じられ、また、乗車券は取出口２に排出されて入出場が拒否される。この場合、表示画面３及びスピーカ４を介して入出場が拒否された利用が案内される。例えば、乗越しにより入出場が拒否された場合は、精算案内が行われる。このように、入出場が拒否された利用者は、通常、ドアＤ１  の手前まで進んでいることが多いので、その利用者は高指向性のスピーカ４から明瞭に案内を受けることができる。
【００１８】
図３は、本発明の他の実施の形態に係る自動改札機で、改札通路Ｐ側から見た正面図である。この改札機本体Ｇでは、スピーカ４ａ，４ｂ，４ｃは改札機本体Ｇから離れた位置に設けられている。すなわち、スピーカ４ａ，４ｂ，４ｃは、改札通路Ｐの上方の天井Ｒにその改札通路Ｐの通過方向に沿って、かつ、所定の間隔を保って複数個（図示の例では３個）のスピーカ群として設けられている。ここに用いられるスピーカ４ａ，４ｂ，４ｃも上記スピーカ４と同様の高指向性のスピーカから構成されているが、高指向性でない通常のスピーカとしてもよい。しかし、高指向性のスピーカとしたときは、案内すべき利用者に対してのみ、適確に案内することができる。
【００１９】
これらスピーカ４ａ，４ｂ，４ｃは、人間検知器Ｓ１  〜Ｓ３  ，Ｓ１０〜Ｓ１５で検知された利用者位置に対応して制御されるように構成されている。例えば、利用者イが無効券の利用者と判定され、その利用者イが改札通路Ｐの中央位置まで進入しているときは、その利用者イ（利用者イを検知しているセンサＳ２  ，Ｓ１２，Ｓ１３）の位置に対応したスピーカ４ｂからは、位相を変換処理しない正相で投入された乗車券（又はアンテナａにタッチされた非接触券）では入出場ができない旨が案内されるとともに、スピーカ４ａ，４ｃからはスピーカ４ｂの案内と位相が１８０°逆になった音声が出力される。したがって、改札通路Ｐの入口側及び出口側では、全く案内が行われない状態となる。このため、利用者イの次客となる改札通路Ｐの入口側に利用者ロが位置していても、その利用者ロには案内が行われない。
【００２０】
また、無効券の利用者イが改札通路Ｐの入口側に位置しているときは、スピーカ４ａから入出場ができない旨が案内され、スピーカ４ｂ，４ｃからは、スピーカ４ａと逆相の出力が行われる。したがって、その利用者イの前客に対しては、何も案内が行われることがない。
【００２１】
上述の無効券の利用者イが改札通路Ｐの入口側に位置しているときは、スピーカ４ａから入出場ができない旨が案内され、スピーカ４ｂ，４ｃからは、スピーカ４ａと逆相の出力が行われる。そして、その利用者イが改札通路Ｐの中央付近まで進入すると、今度は、スピーカ４ｂから入出場ができない旨が案内され、スピーカ４ａ，４ｃからは、スピーカ４ｂと逆送の出力が行われる。さらに、その利用者イが改札通路Ｐの出口側まで進入すると、スピーカ４ｃから入出場ができない旨が案内され、スピーカ４ａ，４ｂからは、スピーカ４ｃと逆相の出力が行われる。このように、スピーカ４ａ，４ｂ，４ｃは、案内すべき利用者位置に対応して制御される。
【００２２】
上述の例では、スピーカ４ａ，４ｂ，４ｃは、改札通路Ｐの上方の天井Ｒに設けたが、改札機本体Ｇの筐体Ｇ１  に設けることもできる。
【００２３】
【発明の効果】
本発明の請求項１に記載の自動改札機は、乗車券に記録されているデータを基に所定の入出場の演算処理を行い、その演算処理の結果について、又は無札者を検知したときに、スピーカを介して所定の内容の音声案内を行う自動改札機において、前記スピーカは、高指向性のスピーカからなるので、利用者に対して明瞭な音声案内を行うこととができる。
本発明の請求項２に記載の自動改札機は、指向性スピーカ軸は、改札機本体のドアの近くに位置する利用者の顔面に向けられているので、ドアの手前に位置した利用者に対して明瞭な音声案内を行うことができる。
本発明の請求項３に記載の自動改札機は、乗車券に記録されているデータを基に所定の入出場の演算処理を行い、その演算処理の結果について、又は無札者を検知したときに、スピーカを介して所定の内容の音声案内を行う自動改札機において、前記スピーカを前記改札機本体の改札通路の通過方向に沿って所定の間隔を保って設けられた複数のスピーカ群とし、その改札通路内の利用者のうち所定の内容を案内すべき利用者に対応したそのスピーカ群のなかの所定のスピーカ以外の出力の位相をその所定のスピーカの出力の位相と逆に制御する制御手段を設けたので、利用者に対して明瞭な音声案内を行うこととができる。
本発明の請求項４に記載の自動改札機は、スピーカは、高指向性のスピーカからなるので、利用者に対してより明瞭な音声案内を行うことができる。
【図面の簡単な説明】
【図１】本発明の一実施の形態に係る改札機本体を構成する一対の筐体のうちの一方の筐体の斜視図である。
【図２】制御器のブロック図である。
【図３】本発明の他の実施の形態に係る改札機本体を改札通路側から見た正面図である。
【符号の説明】
Ｇ  自動改札機の本体（改札機本体）
Ｇ１    筐体
Ｄ１  ，Ｄ２    ドア
Ｐ  改札通路
Ｂ  センサ取付ボックス
Ｓ１  〜Ｓ３  ，Ｓ１０〜Ｓ１５  人間検知器
１  投入口
２  取出口
３  表示画面
４，４ａ，４ｂ，４ｃ  スピーカ
ａ  アンテナ
Ｃ  制御器
【図１】
2004213528.tif 000003
【図２】
2004213528.tif 000004
【図３】
2004213528.tif 000005